【手続補正書】
【提出日】平成17年11月21日(2005.11.21)
【手続補正１】
【補正対象書類名】明細書
【補正対象項目名】発明の名称
【補正方法】変更
【補正の内容】
【発明の名称】表示制御装置
【手続補正２】
【補正対象書類名】明細書
【補正対象項目名】特許請求の範囲
【補正方法】変更
【補正の内容】
【特許請求の範囲】
【請求項１】  映像情報の表示制御を行う表示制御装置において、
映像信号に付加する付加画像情報を生成する付加画像情報生成手段と、
記憶手段と、
前記付加画像情報のビットマップパターンを前記記憶手段に書き込む書き込み処理と前記書き込み処理以外の処理とを実行する制御手段と、
前記記憶手段に記憶されたビットマップパターンと前記映像信号とを混合して表示装置に出力する加算手段とを備え、
前記制御手段は、前記表示装置における前記ビットマップパターンの表示状態が特定の状態となったことに応じて、前記書き込み処理以外の処理を処理負荷が軽くなるモードで実行することを特徴とする表示制御装置。
【請求項２】  前記制御手段は、前記表示装置における前記ビットマップパターンの表示状態が特定の状態となったことに応じて、前記書き込み処理以外の処理の実行回数を少なくすることを特徴とする請求項１記載の表示制御装置。
【請求項３】  前記映像信号を出力する撮像手段を備え、
前記書き込み処理以外の処理は、前記撮像手段の自動焦点調節処理、自動ホワイトバランス処理、防振処理を含むことを特徴とする請求項１または２記載の表示制御装置。
【請求項４】  前記制御手段は、前記書き込み処理以外の処理を前記映像信号のフィールド毎に行う高精度制御モードと、前記書き込み処理以外の処理を前記映像信号のフレーム毎に行う低負荷制御モードを有し、前記表示装置における前記ビットマップパターンの表示状態が特定の状態となったことに応じて、前記高精度制御モードから前記低負荷制御モードに切り替えることを特徴とする請求項３記載の表示制御装置。
【請求項５】  前記特定の状態とは、前記付加画像情報に関わるメニューを表示するメニュー表示状態であることを特徴とする請求項１から４の何れかに記載の表示制御装置。
【請求項６】  前記制御手段は、マイクロコンピュータを有することを特徴とする請求項１から５の何れかに記載の表示制御装置。
【手続補正３】
【補正対象書類名】明細書
【補正対象項目名】０００１
【補正方法】変更
【補正の内容】
【０００１】
【発明の属する技術分野】
本発明は、例えば磁気記録媒体に画像情報及び音声情報を記録し再生する映像情報記録再生装置における付加画像情報の生成方法に適用する場合に好適な表示制御装置に関する。
【手続補正４】
【補正対象書類名】明細書
【補正対象項目名】００１４
【補正方法】変更
【補正の内容】
【００１４】
本発明は、上述した点に鑑みなされたものであり、ユーザがストレスを感じることが少ない高速なメニュー表示を行うと共に、書き込み処理とそれ以外の多くの処理を同一の制御手段で行うことを可能とした表示制御装置を提供することを目的とする。
【手続補正５】
【補正対象書類名】明細書
【補正対象項目名】００１５
【補正方法】変更
【補正の内容】
【００１５】
【課題を解決するための手段】
上記目的を達成するため、本発明は、映像情報の表示制御を行う表示制御装置において、映像信号に付加する付加画像情報を生成する付加画像情報生成手段と、記憶手段と、前記付加画像情報のビットマップパターンを前記記憶手段に書き込む書き込み処理と前記書き込み処理以外の処理とを実行する制御手段と、前記記憶手段に記憶されたビットマップパターンと前記映像信号とを混合して表示装置に出力する加算手段とを備え、前記制御手段は、前記表示装置における前記ビットマップパターンの表示状態が特定の状態となったことに応じて、前記書き込み処理以外の処理を処理負荷が軽くなるモードで実行することを特徴とする。
【手続補正６】
【補正対象書類名】明細書
【補正対象項目名】００５０
【補正方法】削除
【補正の内容】
【手続補正７】
【補正対象書類名】明細書
【補正対象項目名】００５１
【補正方法】削除
【補正の内容】
【手続補正８】
【補正対象書類名】明細書
【補正対象項目名】００５２
【補正方法】削除
【補正の内容】
【手続補正９】
【補正対象書類名】明細書
【補正対象項目名】００５３
【補正方法】削除
【補正の内容】
【手続補正１０】
【補正対象書類名】明細書
【補正対象項目名】００５４
【補正方法】削除
【補正の内容】
【手続補正１１】
【補正対象書類名】明細書
【補正対象項目名】００５５
【補正方法】削除
【補正の内容】
【手続補正１２】
【補正対象書類名】明細書
【補正対象項目名】００５６
【補正方法】削除
【補正の内容】
【手続補正１３】
【補正対象書類名】明細書
【補正対象項目名】００５７
【補正方法】削除
【補正の内容】
【手続補正１４】
【補正対象書類名】明細書
【補正対象項目名】００５８
【補正方法】削除
【補正の内容】
【手続補正１５】
【補正対象書類名】明細書
【補正対象項目名】００５９
【補正方法】削除
【補正の内容】
【手続補正１６】
【補正対象書類名】明細書
【補正対象項目名】００６０
【補正方法】削除
【補正の内容】
【手続補正１７】
【補正対象書類名】明細書
【補正対象項目名】００６１
【補正方法】削除
【補正の内容】
【手続補正１８】
【補正対象書類名】明細書
【補正対象項目名】００６２
【補正方法】削除
【補正の内容】
【手続補正１９】
【補正対象書類名】明細書
【補正対象項目名】００６３
【補正方法】削除
【補正の内容】
【手続補正２０】
【補正対象書類名】明細書
【補正対象項目名】００６４
【補正方法】削除
【補正の内容】
【手続補正２１】
【補正対象書類名】明細書
【補正対象項目名】００６５
【補正方法】削除
【補正の内容】
【手続補正２２】
【補正対象書類名】明細書
【補正対象項目名】００６６
【補正方法】削除
【補正の内容】
【手続補正２３】
【補正対象書類名】明細書
【補正対象項目名】００６７
【補正方法】削除
【補正の内容】
【手続補正２４】
【補正対象書類名】明細書
【補正対象項目名】００６８
【補正方法】削除
【補正の内容】
【手続補正２５】
【補正対象書類名】明細書
【補正対象項目名】００６９
【補正方法】削除
【補正の内容】
【手続補正２６】
【補正対象書類名】明細書
【補正対象項目名】００７０
【補正方法】削除
【補正の内容】
【手続補正２７】
【補正対象書類名】明細書
【補正対象項目名】００７１
【補正方法】削除
【補正の内容】
【手続補正２８】
【補正対象書類名】明細書
【補正対象項目名】００７２
【補正方法】削除
【補正の内容】
【手続補正２９】
【補正対象書類名】明細書
【補正対象項目名】符号の説明
【補正方法】変更
【補正の内容】
【符号の説明】
１−１  レンズ
１−２  ＣＣＤ（撮像手段）
１−３  カメラ信号処理回路
１−４  ジャイロセンサ
１−５  ビデオ信号処理回路
１−６  ビットマップ情報生成回路（付加画像情報生成手段）
１−７  ビットマップメモリ（記憶手段）
１−８  加算器
１−９  メカデッキ
１−１０  デジタルインタフェース
１−１１  リモコン入力手段
１−１２  キー入力手段
１−１３  マイコン（制御手段）
１−ａ  レンズ制御
１−ｂ  カメラ信号処理回路制御
１−ｃ  ジャイロ信号読み込み
１−ｄ  ビデオ信号処理回路制御
１−ｅ  メカモード制御・メカサーボ制御
１−ｆ  ビットマップ情報生成回路制御
１−ｇ  ユーザインタフェース入力
１−ｈ  ビットマップメモリ書き込み
１−ｉ  ＶＤ、ＨＤの同期信号
１−ｊ  ＶＤ割り込み信号